(57)【要約】【課題】ブラウザからウェブページにアクセスすることなく、ウェブページが印刷された印刷物から、そのウェブページのコンテンツの情報を容易に取得可能にすることを目的とする。【解決手段】ＣＭＳサーバ１０は、ウェブブラウザに表示されたウェブページが印刷された場合に、コンテンツを特定可能なマーカーが印刷物に表示されるように、マーカーを埋め込んだウェブページを生成する。表示端末５０は、ウェブページが印刷された印刷物を撮像して、撮像した印刷物を表示するとともに、撮像した印刷物に表示されたマーカーを読み取り、読み取ったマーカーによって特定されるコンテンツを取得して、取得したコンテンツを表示する。【選択図】図１
2015052956.tif 000002
【特許請求の範囲】
【請求項１】
ウェブブラウザに表示されたウェブページが印刷された場合に、コンテンツを特定可能なマーカーが印刷物に表示されるように、前記マーカーを埋め込んだウェブページを生成するウェブページ生成装置と、
前記ウェブページ生成装置が生成したウェブページが印刷された印刷物を撮像して、撮像した印刷物を表示するとともに、撮像した印刷物に表示されたマーカーを読み取り、読み取ったマーカーによって特定されるコンテンツを取得して、取得したコンテンツを表示する表示端末と
を備えることを特徴とするコンテンツ表示システム。
【請求項２】
前記ウェブページ生成装置は、前記ウェブページとして、前記コンテンツを含むウェブページを生成し、
前記表示端末は、前記印刷物における前記コンテンツが印刷されるべき位置に取得したコンテンツを表示する
ことを特徴とする請求項１に記載のコンテンツ表示システム。
【請求項３】
前記ウェブページ生成装置は、前記コンテンツの取得先と、前記コンテンツが印刷されるべき位置とを示す管理情報を生成するとともに、前記管理情報の取得先を示す前記マーカーを埋め込んだウェブページを生成し、
前記表示端末は、前記マーカーが示す取得先から前記管理情報を取得して、前記管理情報が示す取得先から前記コンテンツを取得し、前記管理情報が示す位置に取得したコンテンツを表示する
ことを特徴とする請求項２に記載のコンテンツ表示システム。
【請求項４】
前記ウェブページ生成装置は、前記コンテンツが印刷されるべき位置を、前記印刷物の印刷領域の端部の位置に対する相対的な位置によって示す管理情報を生成するとともに、前記印刷領域の４隅のうち少なくとも３隅に前記マーカーが印刷物に表示されるように、前記マーカーを埋め込んだウェブページを生成し、
前記表示端末は、前記３隅に表示されたマーカーを読み取り、読み取ったマーカーの位置と、前記管理情報が示す相対的な位置とに基づき、前記印刷物における前記コンテンツが印刷されるべき位置を特定する
ことを特徴とする請求項３に記載のコンテンツ表示システム。
【請求項５】
コンテンツを入力するコンテンツ入力部と、
前記コンテンツ入力部によって入力されたコンテンツのうち少なくとも一部のコンテンツを指定するコンテンツ指定部と、
前記コンテンツ入力部によって入力されたコンテンツをウェブブラウザに表示するウェブページであって、ウェブブラウザに表示されたウェブページが印刷された場合に、前記コンテンツ指定部によって指定されたコンテンツを特定可能なマーカーが印刷物に表示されるように、前記マーカーを埋め込んだウェブページを生成するウェブページ生成部と
を備えることを特徴とするウェブページ生成装置。
【請求項６】
ウェブページが印刷された印刷物であって、コンテンツを特定可能なマーカーが表示された印刷物を撮像する撮像部と、
前記撮像部によって撮像された印刷物を表示する印刷物表示部と、
前記撮像部によって撮像された印刷物に表示されたマーカーを読み取るマーカー読取部と、
前記マーカー読取部によって読み取られたマーカーによって特定されるコンテンツを取得するコンテンツ取得部と、
前記コンテンツ取得部によって取得されたコンテンツを表示するコンテンツ表示部と
を備えることを特徴とする表示端末。
【発明の詳細な説明】
【技術分野】
【０００１】
この発明は、印刷されることを考慮したウェブページの生成技術に関する。
【背景技術】
【０００２】
ウェブページは、基本的にウェブブラウザ（以下、ブラウザ）で閲覧されることを前提として設計されている。
【０００３】
特許文献１には、ワイン等の商品にＡＲ（Ａｕｇｍｅｎｔｅｄ  Ｒｅａｌｉｔｙ）マーカーを添付しておき、携帯通信端末のカメラでＡＲマーカーを読み取ると、商品に関連する情報をＡＲマーカーに重畳させて表示する技術が記載されている。
【先行技術文献】
【特許文献】
【０００４】
【特許文献１】国際公開第２０１２／０５６４９９号公報
【発明の概要】
【発明が解決しようとする課題】
【０００５】
ウェブページが印刷された場合、動画等の一部のコンテンツは、印刷物では正しく表示されず、そのコンテンツが持つ情報を印刷物からは得ることができなくなってしまう。そのコンテンツが持つ情報を閲覧者が得るためには、再度ブラウザからウェブページにアクセスしなければならない。
この発明は、ブラウザからウェブページにアクセスすることなく、ウェブページが印刷された印刷物から、そのウェブページのコンテンツの情報を容易に取得可能にすることを目的とする。
【課題を解決するための手段】
【０００６】
この発明に係るコンテンツ表示システムは、
ウェブブラウザに表示されたウェブページが印刷された場合に、コンテンツを特定可能なマーカーが印刷物に表示されるように、前記マーカーを埋め込んだウェブページを生成するウェブページ生成装置と、
前記ウェブページ生成装置が生成したウェブページが印刷された印刷物を撮像して、撮像した印刷物を表示するとともに、撮像した印刷物に表示されたマーカーを読み取り、読み取ったマーカーによって特定されるコンテンツを取得して、取得したコンテンツを表示する表示端末と
を備えることを特徴とする。
【０００７】
前記ウェブページ生成装置は、前記ウェブページとして、前記コンテンツを含むウェブページを生成し、
前記表示端末は、前記印刷物における前記コンテンツが印刷されるべき位置に取得したコンテンツを表示する
ことを特徴とする。
【０００８】
前記ウェブページ生成装置は、前記コンテンツの取得先と、前記コンテンツが印刷されるべき位置とを示す管理情報を生成するとともに、前記管理情報の取得先を示す前記マーカーを埋め込んだウェブページを生成し、
前記表示端末は、前記マーカーが示す取得先から前記管理情報を取得して、前記管理情報が示す取得先から前記コンテンツを取得し、前記管理情報が示す位置に取得したコンテンツを表示する
ことを特徴とする。
【０００９】
前記ウェブページ生成装置は、前記コンテンツが印刷されるべき位置を、前記印刷物の印刷領域の端部の位置に対する相対的な位置によって示す管理情報を生成するとともに、前記印刷領域の４隅のうち少なくとも３隅に前記マーカーが印刷物に表示されるように、前記マーカーを埋め込んだウェブページを生成し、
前記表示端末は、前記３隅に表示されたマーカーを読み取り、読み取ったマーカーの位置と、前記管理情報が示す相対的な位置とに基づき、前記印刷物における前記コンテンツが印刷されるべき位置を特定する
ことを特徴とする。
【００１０】
この発明に係るウェブページ生成装置は、
コンテンツを入力するコンテンツ入力部と、
前記コンテンツ入力部によって入力されたコンテンツのうち少なくとも一部のコンテンツを指定するコンテンツ指定部と、
前記コンテンツ入力部によって入力されたコンテンツをウェブブラウザに表示するウェブページであって、ウェブブラウザに表示されたウェブページが印刷された場合に、前記コンテンツ指定部によって指定されたコンテンツを特定可能なマーカーが印刷物に表示されるように、前記マーカーを埋め込んだウェブページを生成するウェブページ生成部と
を備えることを特徴とする。
【００１１】
この発明に係る表示端末は、
ウェブページが印刷された印刷物であって、コンテンツを特定可能なマーカーが表示された印刷物を撮像する撮像部と、
前記撮像部によって撮像された印刷物を表示する印刷物表示部と、
前記撮像部によって撮像された印刷物に表示されたマーカーを読み取るマーカー読取部と、
前記マーカー読取部によって読み取られたマーカーによって特定されるコンテンツを取得するコンテンツ取得部と、
前記コンテンツ取得部によって取得されたコンテンツを表示するコンテンツ表示部と
を備えることを特徴とする。
【発明の効果】
【００１２】
この発明に係るコンテンツ表示システムでは、コンテンツを特定可能なマーカーが印刷物に表示されるように、マーカーを埋め込んだウェブページを生成する。そして、ウェブページが印刷された印刷物を撮像して、撮像した印刷物とマーカーによって特定されるコンテンツとを表示する。そのため、ブラウザからウェブページにアクセスしなくても、印刷物を撮像するだけで、ウェブページのコンテンツの情報を容易に取得することができる。
【図面の簡単な説明】
【００１３】
【図１】実施の形態１に係るコンテンツ表示システム１の構成図。
【図２】実施の形態１に係るＣＭＳサーバ１０の構成図。
【図３】実施の形態１に係るウェブサーバ２０の構成図。
【図４】実施の形態１に係るＰＣ３０の構成図。
【図５】実施の形態１に係る表示端末５０の構成図。
【図６】実施の形態１に係るコンテンツ表示システム１の処理の流れを示すフローチャート。
【図７】実施の形態１に係るコンテンツ表示システム１の概要説明図。
【図８】ウェブページ６１、ＡＲ管理ページ６２、ＡＲ管理用ＸＭＬ６３の説明図。
【図９】ＡＲマーカー７２を埋め込むためのＪａｖａＳｃｒｉｐｔ（登録商標）の例を示す図。
【図１０】印刷範囲におけるＡＲマーカー７２の相対的な位置の特定方法の説明図。
【図１１】ＡＲ管理用ＸＭＬ６３の例を示す図。
【図１２】ウェブページ６１が印刷された印刷物と、表示端末５０により印刷物を撮像した表示状態とを示す図。
【図１３】実施の形態１に示したＣＭＳサーバ１０、ウェブサーバ２０、ＰＣ３０、表示端末５０のハードウェア構成の例を示す図。
【発明を実施するための形態】
【００１４】
実施の形態１．
図１は、実施の形態１に係るコンテンツ表示システム１の構成図である。
コンテンツ表示システム１は、ＣＭＳサーバ１０（Ｃｏｎｔｅｎｔｓ  Ｍａｎａｇｅｍｅｎｔ  Ｓｙｓｔｅｍサーバ，ウェブページ生成装置）、ウェブサーバ２０、ＰＣ３０（Ｐｅｒｓｏｎａｌ  Ｃｏｍｐｕｔｅｒ）、プリンタ４０、表示端末５０を備える。
ＣＭＳサーバ１０とウェブサーバ２０とは、ＬＡＮ（Ｌｏｃａｌ  Ａｒｅａ  Ｎｅｔｗｏｒｋ）等のネットワークを介して接続されている。ウェブサーバ２０は、インターネットに接続されており、インターネットを介してＰＣ３０や表示端末５０からアクセス可能である。ＰＣ３０は、プリンタ４０と接続されている。
【００１５】
図２は、実施の形態１に係るＣＭＳサーバ１０の構成図である。
ＣＭＳサーバ１０は、テンプレートにコンテンツをはめ込み、ウェブページを生成する装置である。ＣＭＳサーバ１０は、コンテンツ入力部１１、ウェブページ生成部１２、テンプレート記憶部１３、コンテンツ指定部１４、管理情報生成部１５、出力部１６を備える。
【００１６】
図３は、実施の形態１に係るウェブサーバ２０の構成図である。
ウェブサーバ２０は、ＣＭＳサーバ１０が生成したウェブページをインターネットを介して公開する装置である。ウェブサーバ２０は、ウェブページ記憶部２１、管理情報記憶部２２、出力部２３を備える。
【００１７】
図４は、実施の形態１に係るＰＣ３０の構成図である。
ＰＣ３０は、一般的なＰＣである。ＰＣ３０は、ブラウザ３１、印刷部３２を備える。
【００１８】
図５は、実施の形態１に係る表示端末５０の構成図である。
表示端末５０は、スマートフォンやタブレット等の通信機能を有する端末である。表示端末５０は、撮像部５１、印刷物表示部５２、マーカー読取部５３、コンテンツ取得部５４、コンテンツ表示部５５を備える。
【００１９】
図６は、実施の形態１に係るコンテンツ表示システム１の処理の流れを示すフローチャートである。図７は、実施の形態１に係るコンテンツ表示システム１の概要説明図である。
まず、ＣＭＳサーバ１０のコンテンツ入力部１１は、利用者の操作に従い、テキストや動画等のコンテンツを入力する（Ｓ１１）。ここでは、入力されたコンテンツには、印刷された場合に、印刷物に正しく表示されないコンテンツ（ここでは、動画とする）が含まれているものとする。
すると、ウェブページ生成部１２は、テンプレート記憶部１３に予め記憶されたテンプレートに入力された各コンテンツをはめ込み、さらに所定の位置にＡＲマーカー７１を埋め込んでウェブページ６１を生成する（Ｓ１２）＜図７（ａ）参照＞。ＡＲマーカー７１には、後述するＳ１５で生成されるＡＲ管理用ＸＭＬ６３の取得先が示されている。
【００２０】
コンテンツ指定部１４は、利用者の操作に従い、印刷された場合に、印刷物に正しく表示されないコンテンツを指定する（Ｓ１３）。ここでは、動画が指定される。
すると、管理情報生成部１５は、Ｓ１２で生成されたウェブページ６１における、Ｓ１３で指定された動画に対して、ＡＲマーカー７２を埋め込み、ＡＲ管理用ページ６２を生成する（Ｓ１４）＜図７（ｂ）参照＞。さらに、管理情報生成部１５は、ＡＲ管理ページ６２に基づき、動画の取得先と、動画が印刷されるべき位置とを示すＡＲ管理用ＸＭＬ６３（管理情報）を生成する（Ｓ１５）＜図７（ｃ）参照＞。
【００２１】
そして、出力部１６は、Ｓ１２で生成されたウェブページ６１と、Ｓ１５で生成されたＡＲ管理用ＸＭＬ６３とを、ウェブサーバ２０へ出力する（Ｓ１６）＜図７（ｃ）（ｄ）参照＞。
すると、ウェブサーバ２０のウェブページ記憶部２１は出力されたウェブページ６１を記憶装置に記憶し、管理情報記憶部２２は出力されたＡＲ管理用ＸＭＬ６３を記憶する（Ｓ１７）。ウェブページ記憶部２１が記憶したウェブページ６１は、インターネットを介して公開される。
【００２２】
ＰＣ３０のブラウザ３１は、閲覧者の操作に従い、ウェブサーバ２０にアクセスしてウェブページ６１を取得し表示する（Ｓ１８）＜図７（ｅ）参照＞。そして、印刷部３２は、閲覧者の操作に従い、表示されたウェブページ６１をプリンタ４０から紙等に印刷する（Ｓ１９）＜図７（ｆ）参照＞。
【００２３】
表示端末５０の撮像部５１は、閲覧者の操作に従い、Ｓ１９で印刷された印刷物をカメラにより撮像する（Ｓ２０）。すると、印刷物表示部５２は、Ｓ２０で撮像された印刷物を表示する（Ｓ２１）＜図７（ｇ）参照＞。
さらに、マーカー読取部５３は、Ｓ２０で撮像された印刷物に表示されたＡＲマーカー７１を読み取り、読み取ったＡＲマーカー７１に基づき、ウェブサーバ２０にアクセスして、ＡＲ管理用ＸＭＬ６３を取得する（Ｓ２２）＜図７（ｈ）参照＞。すると、コンテンツ取得部５４は、Ｓ２２で取得されたＡＲ管理用ＸＭＬ６３に基づき、ウェブサーバ２０から動画を取得する（Ｓ２３）。そして、コンテンツ表示部５５は、ＡＲ管理用ＸＭＬ６３が示す表示位置に、印刷物に重畳させて動画を表示する（Ｓ２４）＜図７（ｉ）参照＞。
【００２４】
図８は、ウェブページ６１、ＡＲ管理ページ６２、ＡＲ管理用ＸＭＬ６３の説明図である。
ウェブページ生成部１２は、動画が表示されるページの３隅（ここでは、左上、右上、左下の３隅）にＡＲマーカー７１を埋め込んでウェブページ６１を生成する。つまり、ウェブページ６１が印刷されると複数のページになり、動画が２ページ目に印刷される場合には、ウェブページ生成部１２は、２ページ目の３隅にＡＲマーカー７１を埋め込む。
特に、ウェブページ生成部１２は、ウェブページ６１がブラウザに表示される場合には、ＡＲマーカー７１が表示されず、ブラウザに表示されたウェブページ６１が印刷された場合には、印刷物にＡＲマーカー７１が表示されるように、ＡＲマーカー７１を埋め込む。これは、例えば、スタイルシートの設定を、“＠ｍｅｄｉａ  ｐｒｉｎｔ｛ｄｉｓｐｌａｙ：ｎｏｎｅ；｝”等とすることにより、実現できる。
ここで、左上に埋め込まれたＡＲマーカー７１は、ＡＲ管理用ＸＭＬ６３の取得先の情報を示すものである。他の２つのＡＲマーカー７１は、それぞれ、ページの右上、左下の位置を示すものである。もちろん、これに限るわけではなく、どのＡＲマーカー７１がＡＲ管理用ＸＭＬ６３の取得先を示していてもよい。
【００２５】
管理情報生成部１５は、ウェブページ６１に含まれるコンテンツのうち、動画の左上に、ＡＲマーカー７２を埋め込んでＡＲ管理ページ６２を生成する。
例えば、管理情報生成部１５は、図９に示すＪａｖａＳｃｒｉｐｔ（登録商標）を使用して、動画の左上の座標を取得し、動画の左上にＡＲマーカー７２が埋め込まれる。なお、図９において、ｔａｒｇｅｔが動画を示し、ａｒがＡＲマーカー７２を示す。
【００２６】
管理情報生成部１５は、ＡＲ管理ページ６２の印刷イメージをイメージ取得アプリケーション等を利用して取得し、取得した印刷イメージにおいて、３隅に表示されたＡＲマーカー７１と、動画の左上に表示されたＡＲマーカー７２との位置関係から、ＡＲマーカー７２の相対的な位置を特定する。
そして、管理情報生成部１５は、特定したＡＲマーカー７２の相対的な位置と、動画の取得先とを示すＡＲ管理用ＸＭＬ６３を生成する。
【００２７】
図１０は、印刷範囲におけるＡＲマーカー７２の相対的な位置の特定方法の説明図である。
管理情報生成部１５は、左上のＡＲマーカー７１と右上のＡＲマーカー７１との間の横方向の距離（Ｘ２）に対する左上のＡＲマーカー７１とＡＲマーカー７２との間の横方向の距離（Ｘ１）の割合Ｘ（＝Ｘ１／Ｘ２）を横方向の相対的な位置として特定する。
同様に、左上のＡＲマーカー７１と左下のＡＲマーカー７１との間の縦方向の距離（Ｙ２）に対する左上のＡＲマーカー７１とＡＲマーカー７２との間の縦方向の距離（Ｙ１）の割合Ｙ（＝Ｙ１／Ｙ２）を縦方向の相対的な位置として特定する。
【００２８】
図１１は、ＡＲ管理用ＸＭＬ６３の例を示す図である。
ＡＲ管理用ＸＭＬ６３には、ウェブページ６１の識別子であるＰａｇｅＩＤと、動画の識別子であるＩＤとが含められる。そして、ＡＲ管理用ＸＭＬ６３には、ＡＲマーカー７２の相対的な位置を示す情報（Ｘ，Ｙ）と、動画の取得先（ＵＲＬ）とが含められる。
【００２９】
図１２は、ウェブページ６１が印刷された印刷物と、表示端末５０により印刷物を撮像した表示状態とを示す図である。図１２（ａ）はウェブページ６１が印刷された印刷物を示し、図１２（ｂ）は表示端末５０により印刷物を撮像した表示状態を示す。
ウェブページ６１は、印刷されると、ページの３隅に埋め込まれたＡＲマーカー７１が、印刷領域の３隅に印刷される。印刷物では、ウェブページ６１に含まれる動画は、印刷時点の画像が静止画として印刷される。
【００３０】
表示端末５０により印刷物を撮像すると、ＡＲマーカー７１や静止画として印刷された動画とが、まず表示端末５０に表示される。
この際、表示端末５０は、印刷物の左上に表示されたＡＲマーカー７１を読み取り、読み取ったＡＲマーカー７１に基づきＡＲ管理用ＸＭＬ６３を取得する。さらに、表示端末５０は、取得したＡＲ管理用ＸＭＬ６３に基づき、ウェブサーバ２０から動画を取得する。
表示端末５０は、ＡＲ管理用ＸＭＬ６３に含まれるＡＲマーカー７２の相対的な位置を示す情報（Ｘ，Ｙ）と、ページの３隅に埋め込まれたＡＲマーカー７１とから、印刷物において動画が表示されるべき位置（静止画が印刷されている位置）を特定する。そして、表示端末５０は、特定した位置に動画を、印刷物に重畳させて表示する。
【００３１】
以上のように、実施の形態１に係るコンテンツ表示システム１では、ウェブページ６１を印刷した場合に、印刷物には表示できない動画等のコンテンツを、表示端末５０で印刷物を撮像することにより表示させることができる。そのため、印刷物を見ているときに動画等のコンテンツを見たい場合に、表示端末５０が有するブラウザ等から、印刷されたウェブページ６１に改めてアクセスする必要がなく、手間がかからない。
【００３２】
また、実施の形態１に係るコンテンツ表示システム１では、ＡＲマーカー７１，７２は、ウェブページ６１がブラウザ３１に表示される場合には、表示されない。そのため、ウェブページ６１のデザインに影響を与えることがない。
また、ウェブページ６１が印刷された印刷物においては、ＡＲマーカー７１はページの隅に印刷されており、ウェブページ６１のデザインに与える影響は小さい。さらに、印刷物においても、ＡＲマーカー７２は表示されない。ＡＲマーカー７２は、動画等のコンテンツが表示される位置に設定されており、表示されればウェブページ６１のデザインに与える影響が大きいが、ＡＲマーカー７２は表示されないため、ウェブページ６１のデザインを毀損することがない。
【００３３】
就職活動において、訪問先の企業のウェブページ６１を印刷して企業研究を行う場合や、ウェブページ６１を印刷して会議の資料等として用いる場合がある。このような場合に、印刷物においてもウェブページ６１のデザインが毀損されていないため、印刷物を利用し易い。また、動画等のコンテンツもすぐに表示できるため、円滑に企業研究や会議を進めることができる。
【００３４】
例えば、ウェブページ６１は、駅から目的地までの経路を説明した動画を含むとする。この動画の開始時の画像が駅から目的地までの地図となっているとする。そして、動画の再生ボタンが押下されていないときには、地図が表示された状態になっているとする。
この場合、動画が再生されていない状態でウェブページ６１を印刷した印刷物には、動画の表示位置に、地図が印刷される。そのため、駅から目的地へ行く人は、予めウェブページ６１を印刷しておけば、印刷物に表示された地図を見ながら目的地へ向かうことができる。もし、地図では経路が分からない場合には、表示端末５０で印刷物を撮像することにより、駅から目的地までの経路を説明した動画を見ることができる。
【００３５】
なお、上記では、ＡＲマーカー７１をページの３隅に埋め込み、３隅に埋め込まれたＡＲマーカー７１と、ＡＲマーカー７２との位置関係から、指定されたコンテンツを表示する位置を特定した。
左上と右下のような対角位置にある２隅にだけＡＲマーカー７１を埋め込み、２隅に埋め込まれたＡＲマーカー７１と、ＡＲマーカー７２との位置関係から、指定されたコンテンツを表示する位置を特定することも可能である。しかし、印刷物が傾いた状態で表示端末５０により撮像された場合、２隅に埋め込まれたＡＲマーカー７１と、ＡＲマーカー７２との位置関係から、指定されたコンテンツを表示する位置を特定しようとすると誤差が大きくなってしまう。そのため、ＡＲマーカー７１をページの３隅に埋め込んでおくことが望ましい。
【００３６】
また、上記説明では、印刷された場合に、印刷物に正しく表示されないコンテンツとして動画を例に説明した。しかし、動画以外のコンテンツであってもよい。
【００３７】
また、上記説明では、図６のＳ１３で、印刷された場合に、印刷物に正しく表示されないコンテンツを指定するとした。これにより、表示端末５０で印刷物を撮像して、印刷物に正しく表示されないコンテンツを表示するようにした。しかし、図６のＳ１３で指定されるのは、印刷物に正しく表示されないコンテンツだけに限定する必要はない。
例えば、強調したいコンテンツを指定すれば、表示端末５０で印刷物を撮像した場合に、撮像された印刷物に重畳して指定されたコンテンツが表示されるため、目立たせることができる。
また、例えば、時間の経過とともに情報が更新されるコンテンツを指定すれば、表示端末５０で印刷物を撮像した場合に、最新の情報を表示させることができる。ある製品についての複数の店舗それぞれでの販売価格の一覧表を含むウェブページ６１であれば、一覧表を指定しておけば、表示端末５０で印刷物を撮像した場合に、最新の販売価格の一覧表を表示することができる。
【００３８】
また、表示端末５０としてスマートフォンを用いた場合等には、表示部が小さいため、撮像した印刷物の一部に動画が表示されても見づらい場合がある。そこで、例えば、印刷物に重畳して表示された動画をタップする等、何らかの操作をすると、動画が拡大して表示されるとしてもよい。
【００３９】
図１３は、実施の形態１に示したＣＭＳサーバ１０、ウェブサーバ２０、ＰＣ３０、表示端末５０のハードウェア構成の例を示す図である。
ＣＭＳサーバ１０、ウェブサーバ２０、ＰＣ３０、表示端末５０はコンピュータであり、ＣＭＳサーバ１０、ウェブサーバ２０、ＰＣ３０、表示端末５０の各要素をプログラムで実現することができる。
ＣＭＳサーバ１０、ウェブサーバ２０、ＰＣ３０、表示端末５０のハードウェア構成としては、バスに、演算装置９０１、外部記憶装置９０２、主記憶装置９０３、通信装置９０４、入出力装置９０５が接続されている。
【００４０】
演算装置９０１は、プログラムを実行するＣＰＵ（Ｃｅｎｔｒａｌ  Ｐｒｏｃｅｓｓｉｎｇ  Ｕｎｉｔ）等である。外部記憶装置９０２は、例えばＲＯＭ（Ｒｅａｄ  Ｏｎｌｙ
Ｍｅｍｏｒｙ）やフラッシュメモリ、ハードディスク装置等である。主記憶装置９０３は、例えばＲＡＭ（Ｒａｎｄｏｍ  Ａｃｃｅｓｓ  Ｍｅｍｏｒｙ）等である。通信装置９０４は、例えば通信ボード等である。入出力装置９０５は、例えばマウス、キーボード、ディスプレイ装置等である。
【００４１】
プログラムは、通常は外部記憶装置９０２に記憶されており、主記憶装置９０３にロードされた状態で、順次演算装置９０１に読み込まれ、実行される。
プログラムは、コンテンツ入力部１１、ウェブページ生成部１２、コンテンツ指定部１４、管理情報生成部１５、出力部１６、出力部２３、ブラウザ３１、印刷部３２、撮像部５１、印刷物表示部５２、マーカー読取部５３、コンテンツ取得部５４、コンテンツ表示部５５として説明している機能を実現するプログラムである。
更に、外部記憶装置９０２にはオペレーティングシステム（ＯＳ）も記憶されており、ＯＳの少なくとも一部が主記憶装置９０３にロードされ、演算装置９０１はＯＳを実行しながら、上記プログラムを実行する。
また、実施の形態１〜５の説明において、「〜の入力」、「〜の生成」、「〜の指定」、「〜の出力」、「〜の表示」、「〜の撮像」、「〜の取得」等として説明している処理の結果を示す情報やデータや信号値や変数値が主記憶装置９０３にファイルとして記憶されている。
【００４２】
なお、図１３の構成は、あくまでもＣＭＳサーバ１０、ウェブサーバ２０、ＰＣ３０、表示端末５０のハードウェア構成の一例を示すものであり、ＣＭＳサーバ１０、ウェブサーバ２０、ＰＣ３０、表示端末５０のハードウェア構成は図１２に記載の構成に限らず、他の構成であってもよい。
【符号の説明】
【００４３】
１０  ＣＭＳサーバ、１１  コンテンツ入力部、１２  ウェブページ生成部、１３  テンプレート記憶部、１４  コンテンツ指定部、１５  管理情報生成部、１６  出力部、２０  ウェブサーバ、２１  ウェブページ記憶部、２２  管理情報記憶部、２３  出力部、３０  ＰＣ、３１  ブラウザ、３２  印刷部、４０  プリンタ、５０  表示端末、５１  撮像部、５２  印刷物表示部、５３  マーカー読取部、５４  コンテンツ取得部、５５  コンテンツ表示部。
【図１】
2015052956.tif 000003
【図２】
2015052956.tif 000004
【図３】
2015052956.tif 000005
【図４】
2015052956.tif 000006
【図５】
2015052956.tif 000007
【図６】
2015052956.tif 000008
【図７】
2015052956.tif 000009
【図８】
2015052956.tif 000010
【図９】
2015052956.tif 000011
【図１０】
2015052956.tif 000012
【図１１】
2015052956.tif 000013
【図１２】
2015052956.tif 000014
【図１３】
2015052956.tif 000015